(57)【要約】      （修正有）【課題】電源を必要とせずに生鮮食料品を長時間低温状態に維持できると共に、蓋体を開ける場合前方に突出せず通行人や車両の邪魔にならずに路上で荷の上げ下ろしができる配送用保冷ボックスを提供する。【解決手段】保冷ボックス本体２に嵌合する蓋体３は、上蓋３１と下蓋３２の２つに分割され両者の接続線で折れ曲がるように構成され、また、この蓋体３の上辺は可撓性折り曲げ部材よりなる接続片によって保冷ボックス本体２に接続されている。従って、下蓋３２を手前に引いて保冷ボックス本体２と蓋体３とのマグネットによるロックを解除して、下蓋３２と上蓋３１を折り重ねる様にして保冷ボックス本体２の天面上に載せれば、蓋体３を前に余り突出させないで蓋体を保冷ボックス２の上に載置することができる。【選択図】図２
2019089573.tif 000002
【特許請求の範囲】
【請求項１】
前面が開放された開口部を有する長方体の保冷ボックス本体および該保冷ボックス本体の
開口部に嵌合する蓋体とよりなり、上記蓋体は上下に分割された上蓋と下蓋とよりなり、
該上蓋の上辺は上記保冷ボックス本体の天面に該開口部の上端を通る直線に平行な直線に
沿って折り曲げ可能な可撓性折曲げ部材よりなる第１屈曲部によって折り曲げ自在に接続
され、上記上蓋の下辺と上記下蓋の上辺とは、上記上蓋と上記下蓋との境界線に沿って折
り曲げ可能な可撓性折曲げ部材よりなる第２屈曲部によって折り曲げ自在に接続されてい
ることを特徴とする配送用保冷ボックス。
【請求項２】
上記蓋体の下蓋を上方に引き上げた場合、上蓋と下蓋とは折れ曲がって第２屈曲部が前方
に突出し、さらに上記上蓋を上記保冷ボックス本体の天面に向け折り曲げた場合に上記上
蓋及び上記下蓋が折り重なった状態で上記保冷ボックス本体の天面に載置されるように第
１屈曲部及び第２屈曲部が構成されていることを特徴とする請求項１に記載された配送用
保冷ボックス。
【請求項３】
上記保冷ボックス本体および上記蓋体は発泡合成樹脂製の断熱材の表面をアルミニウム蒸
着した断熱シートの外皮部材で被覆した断熱構造体で構成されていることを特徴とする請
求項１に記載された配送用保冷ボックス。
【請求項４】
上記蓋体の外皮部材は、上記断熱構造体の左右及び上下方向に突出して、上記保冷ボック
スの開口部の左右及び上下のフレーム部に重なるように構成された突出片を形成すること
を特徴とする請求項３に記載された配送用保冷ボックス。
【請求項５】
上記第１屈曲部は、上記上蓋の上部の突出片をさらに上方に延長して上記保冷ボックス本
体の天面にその一端を着脱自在に固着される接続片として構成されていることを特徴とす
る請求項１乃至請求項４のいずれか１項に記載された配送用保冷ボックス。
【請求項６】
上記第２屈曲部は上記上蓋と上記下蓋の裏面に連続して繋がっている外皮部材によって構
成されていることを特徴とする請求項１乃至請求項４のいずれか１項に記載された配送用
保冷ボックス。
【請求項７】
上記上蓋の左右の突出片及び上記下蓋の左右の突出片並びに下部の突出片にマグネット板
又は該マグネット板に吸着する金属板のいずれか一方を取り付けたことを特徴とする請求
項１乃至請求項４のいずれか１項に記載された配送用保冷ボックス。
【請求項８】
上記保冷ボックス本体は、その開口部の左右両側から外方に突出して、これを内側に折り
曲げた場合、上記上蓋及び上記下蓋の左右の突出片と重なるように構成されたフラップ状
固定片を備えていることを特徴とする請求項１乃至請求項７のいずれか１項に記載された
配送用保冷ボックス。
【請求項９】
上記フラップ状固定片に、上記上蓋及び上記下蓋の左右の突出片に取り付けたマグネット
板又は該マグネット板に吸着する金属板のいずれかに対応するマグネット板又は該マグネ
ット板に吸着する金属板のいずれか一方を取り付けたことを特徴とする請求項８に記載さ
れた配送用保冷ボックス。
【請求項１０】
上記保冷ボックス本体の開口部の下部のフレーム部に、上記下蓋の下部の突出片に取り付
けたマグネット板又は該マグネット板に吸着する金属板のいずれかと対応するマグネット
板又は該マグネット板に吸着するための金属板のいずれか一方を取り付けたことを特徴と
する請求項１乃至請求項７のいずれか１項に記載された配送用保冷ボックス。
【請求項１１】
上記蓋体の表面で上蓋と下蓋との境界線の近傍及び下蓋の下部の突出片にそれぞれ取っ手
を設けたことを特徴とする請求項１または請求項１０のいずれか１項に記載された配送用
保冷ボックス。
【請求項１２】
上記保冷ボックス本体の内部に保冷剤を収納するための保冷剤収納かごを備えたことを特
徴とする請求項１に記載された配送用保冷ボックス。
【請求項１３】
上記保冷ボックス本体の外壁部材の適宜箇所に該保冷ボックスを搭載するかご台車に固定
するための固定ベルトを設けたことを特徴とする請求項１に記載された配送用保冷ボック
ス。
【請求項１４】
上記固定ベルトは平面ファスナーよりなる固定部を備えたことを特徴とする請求項１２に
記載された配送用保冷ボックス。
【発明の詳細な説明】
【技術分野】
【０００１】
本発明は、生鮮食品等を低温に保ったまま配送するための保冷ボックス、特に宅配用のか
ご付き台車に搭載する配送用保冷ボックスに関するものである。
【背景技術】
【０００２】
近年宅配用の配送用機器として、手押し車のかご付き台車が多用されている。
【０００３】
その一例として、生鮮食料品などを配送するために、かご付き台車に乗せる配送用の保冷
機能を持った箱体が提案されている（特開２００５−２８９４７５）。
【先行技術文献】
【特許文献】
【０００４】
【特許文献１】特開２００５−２８９４７５号公報
【発明の概要】
【発明が解決しようとする課題】
【０００５】
上記の特開２００５−２８９４７５号公報に記載の配送用箱体は、保冷不要品と要冷蔵物
品の集配を１台の台車で行うように、保冷機能の付いた箱体と保冷機能の付かない箱体を
２個積み重ねて、いずれの物品の配送にも対応できるようにした点に特徴を持つものであ
る。
【０００６】
しかし、上記の配送用箱体は、上側の箱体は天井部に蓋があり、下側の箱体には前に開く
蓋が付いている。
この先行技術の配送用箱体は明細書〔００２３〕に記載されているように１個の箱体の高
さは４６０ｍｍ、２つの箱体を合わせても高さ９２０ｍｍと比較的小型の配送用箱体であ
るので、天井に蓋を設けても、その開閉作業に支障を来さないが、最近の配送用箱体は大
型化してきて、高さ約１５００ｍｍ程度のものが標準化され、天井に蓋を設けるのは作業
上好ましくないという欠点がある。
【０００７】
さらに、上記先行技術の下側の箱体のような前開きの扉は、交通障害の多い町中では、作
業上危険を伴い、また、足場を狭くするので、作業がしにくくなるという欠点がある。
【０００８】
本発明は、気密性が高く熱損失が少なく、冷蔵能力の高い配送用保冷ボックスを提供する
ことを目的とする。
【０００９】
本発明は、保冷ボックス本体の前面にありながら余り前方に突出せずに開閉することがで
きる蓋体を有する配送用保冷ボックスを安価に提供することを他の目的とする。
【課題を解決するための手段】
【００１０】
本発明の配送用保冷ボックスは、長方体の保冷ボックス本体および該保冷ボックス本体の
開口部に嵌合する蓋体とよりなる。また、上記蓋体は上下に分割された上蓋と下蓋とより
なり、該上蓋の上辺は上記保冷ボックス本体の天面に該開口部の上端を通る直線に平行な
直線に沿って折り曲げ可能な可撓性折曲げ部材よりなる第１屈曲部によって折り曲げ自在
に接続され、上記上蓋の下辺と上記下蓋の上辺とは、上記上蓋と上記下蓋との境界線に沿
って折り曲げ可能な可撓性折曲げ部材よりなる第２屈曲部によって折り曲げ自在に接続さ
れていることを特徴とする。この配送用保冷ボックスは比較的大型の保冷ボックスを対象
としている。大型の保冷ボックスは通常、高さ１４５０ｍｍ、幅１１００ｍｍ、奥行き１
１００ｍｍと標準化されている。
【００１１】
この構造により、蓋体の下蓋を上方に引き上げた場合、上蓋と下蓋とは折れ曲がって第２
屈曲部が前方に突出し、さらに上蓋を上記保冷ボックス本体の天面に向け折り曲げた場合
に上蓋及び下蓋が折り重なった状態で保冷ボックス本体の天面に載置させることができる
。
【００１２】
上記蓋体を開閉する操作を容易にするために蓋体の表面で上蓋と下蓋との境界線の近傍及
び下蓋の下部の突出片にそれぞれ取っ手を設けた。下蓋の下部の取っ手は、蓋体を開放す
るにあたって、まず、下蓋の下部の突出片に設けたマグネット（または金属板）とそれに
対応する保冷ボックス本体の開口部の下部のフレーム部に設けた金属板（またはマグネッ
ト）との吸着を外すために、両手でもって引き離すために左右に２個設けるのが良い。次
の操作として、上蓋と下蓋との境界線の近傍に設けた取っ手で、第２屈曲部を手前に引っ
張って、第２屈曲部の外皮部材とフレーム部との間に隙間を生じさせ、そこから保冷ボッ
クス内に空気を供給する。なぜならば、保冷ボックス内は冷気によって減圧状態になって
いるので、蓋体の左右の突出片は開口部のフレーム部に密着してはがれにくい状態になっ
ているからである。第２屈曲部付近から空気を保冷ボックス内に供給すれば保冷ボックス
内の空気圧は外部と同じになるので容易に突出片をフレーム部からはがすことができる。
したがって上蓋と下蓋との境界線の近傍に設ける取っ手は下蓋の上部または上蓋の下部の
いずれでもよい。いずれも中央に１個設ければ十分である。
【００１３】
保冷ボックス本体および蓋体は発泡合成樹脂製の断熱材の表面をアルミニウム蒸着した断
熱シートの外皮部材で被覆した断熱構造体で構成されている。発泡合成樹脂製の断熱材と
しては、例えば、発泡ポリエチレンや硬質発泡ポリウレタン等が用いられる。断熱材の厚
さは、高さ１４５０ｍｍの保冷ボックスの場合は、６０ｍｍ乃至１２０ｍｍのものが適切
である。
外皮部材としては、ポリエチレンテレフタレート（ＰＥＴ）フイルムやポリエステルフイ
ルムの表面にアルミニウムを蒸着したものが好ましく用いられる。
【００１４】
上記蓋体の外皮部材は、上記断熱構造体の左右及び上下方向に突出して、上記保冷ボック
スの開口部の左右及び上下のフレーム部に重なるように構成された突出片を形成する。突
出片の幅は略フレーム部の幅に相当するので、断熱構造体の厚さの６０ｍｍ乃至１２０ｍ
ｍ程度になる。
【００１５】
また、上記第１屈曲部は、上記上蓋の上部の突出片をさらに上方に延長して上記保冷ボッ
クス本体の天面にその一端を着脱自在に固着される接続片として構成されている。この第
１屈折部もポリエチレンテレフタレート（ＰＥＴ）フイルムやポリエステルフイルム等の
可撓性折曲げ部材より構成されているので、保冷ボックス本体の開口部の上端を通る直線
に平行な直線に沿って折り曲げ可能になる。また、第１屈曲部は合成樹脂製の可撓性折曲
げ部材より構成されているので、金属材料のような強直材料を使用していない合成樹脂製
の断熱構造体よりなる保冷ボックスでも容易に関節部材として取り付けることができる。
【００１６】
上記第２屈曲部は上記上蓋と上記下蓋の裏面に連続して繋がっている外皮部材によって構
成されている。上記外皮部材は折り曲げ可能な可撓性折曲げ部材、すなわち、ポリエチレ
ンテレフタレート（ＰＥＴ）フイルムやポリエステルフイルム等よりなるので、上蓋と下
蓋との境界線に沿って折り曲げ可能になる。
【００１７】
上記上蓋の左右の突出片及び上記下蓋の左右の突出片並びに下部の突出片にマグネット板
又はマグネットに吸着する金属板のいずれか一方が取り付けられている。マグネット板は
、パーマロイをゴムシート中に分散したマグネットゴムシート板等が用いられる。
【００１８】
一方、保冷ボックス本体には、その開口部の左右両側から外方に突出して、これを内側に
折り曲げた場合、上記上蓋及び上記下蓋の左右の突出片と重なるように構成されたフラッ
プ状固定片が取り付けられている。
【００１９】
上記フラップ状固定片には、上蓋及び下蓋の左右の突出片に取り付けたマグネット板又は
該マグネット板に吸着する金属板のいずれかに対応するマグネット板又は該マグネット板
に吸着する金属板のいずれか一方が取り付けられている。
【００２０】
上記保冷ボックス本体の開口部の下部のフレーム部に、下蓋の下部の突出片に取り付けら
れたマグネット板又は該マグネット板に吸着する金属板のいずれかと対応するマグネット
板又は該マグネット板に吸着するための金属板のいずれか一方が取り付けられている。
【００２１】
上記保冷ボックス本体の内部に保冷剤を収納するための保冷剤収納かごを備えている。通
常保冷剤は約９０パーセントの水と高吸水性樹脂(ポリアクリル樹脂)、防腐剤、無機塩、
形状安定剤が含まれている。保冷剤は大型の２ｋｇ／個程度のものが４〜６個必要である
。
保冷ボックス本体の外壁部材の適宜箇所に保冷ボックスを搭載するかご台車に固定するた
めの固定ベルトが設けられている。この固定ベルトは、２本の紐の先端に平面ファスナー
が取り付けられている。したがって、この２本の紐をかご台車のポールに巻き付けて平面
ファスナーで固定することができる。
【発明の効果】
【００２２】
本発明の配送用保冷ボックスは、長方体の保冷ボックス本体の前面が開放された開口部に
嵌合する蓋体の上蓋の上辺が、保冷ボックス本体の天面に開口部の上端を通る直線に平行
な直線に沿って折り曲げ可能な可撓性折曲げ部材よりなる第１屈曲部によって折り曲げ自
在に接続されている。さらに、上蓋の下辺と下蓋の上辺とが、上蓋と下蓋との境界線に沿
って折り曲げ可能な可撓性折曲げ部材よりなる第２屈曲部によって折り曲げ自在に接続さ
れている。従って、蓋体の下蓋を上方に引き上げて上蓋と下蓋とを折り曲げた場合に第２
屈曲部が前方に突出し、さらに上蓋を保冷ボックス本体の天面に向け折り曲げた場合に上
蓋及び下蓋が折り重なった状態で保冷ボックス本体の天面に載置される。その結果、人や
車両等の往来の激しい道路上で、配送用保冷ボックスの蓋体を開く場合、殆ど前に突出し
ないので、人や車両の邪魔にならず、接触事故を事前に防止できる。さらに、保冷ボック
ス内の荷物を出し入れする間は、蓋体は完全に保冷ボックスの天面の上に折りたたまれて
いるので、往来する人や車両の邪魔にならず、また、作業者の足場をふさぐこともないの
で作業が容易にできる利点がある。
【００２３】
保冷ボックス本体及び蓋体は、発泡合成樹脂製の断熱材の表面をアルミニウム蒸着した断
熱シートの外皮部材で被覆した断熱構造体で構成されているので、冷気が外部に発散する
のを防止し、保冷材の寿命を長くすることができる。
【００２４】
蓋体の外皮部材は、断熱構造体の左右及び上下方向に突出して、保冷ボックスの開口部の
左右及び上下のフレーム部に重なるように構成された突出片を形成しているので、この突
出片は保冷ボックスの開口部のフレーム面に密着して、保冷ボックスの密閉度を高め、保
冷効果を高めることができる。
【００２５】
上蓋の左右の突出片及び下蓋の左右の突出片並びに下部の突出片にマグネット板又はマグ
ネットに吸着する金属板のいずれか一方を取り付け、保冷ボックス本体の開口部の左右両
側から外方に突出たフラップ状固定片にマグネット板又は該マグネット板に吸着する金属
板のいずれか一方を取り付けたので、保冷ボックスの開口部の左右のフラップ状固定片を
内方に折り曲げると、左右のフラップ状固定片は上蓋の左右の突出片及び下蓋の左右の突
出片の上にそれぞれ重なりこれを抑え込むと同時に、突出片と固定片のマグネットとそれ
に対応する金属片は互いに強く吸着する。それと同時に下蓋の下辺の突出片に取り付けた
マグネットと保冷ボックス本体下部のフレームに取り付けた金属板は吸着して保冷ボック
スを完全に密封することができる。また、保冷ボックスのフラップ状固定片と蓋体とはマ
グネットにより密封されているが、マグネットによる吸着は平面フアスナーによる結合よ
りも閉鎖・解除しやすいので、蓋体の開閉作業を迅速に行うことができる。
【００２６】
上記蓋体の表面で上蓋と下蓋との境界線の近傍及び下蓋の下部の突出片にそれぞれ取っ手
を設けたので、蓋体の開閉を容易に行うことができる。すなわち、最初に保冷ボックスの
左右のフラップ状固定片をそれぞれ立ててフラップ状固定片と上蓋および下蓋の左右の突
出片とのマグネットによる吸着を解除し、次に、下蓋の下部の突出片に設けた取っ手を手
前に引いて、下部の突出片と保冷ボックスの下部のフレーム部とのマグネットによる吸着
を解除した後、上蓋と下蓋との境界線の近傍に設けた取っ手を手前に引くと、第２屈曲部
が僅かに手前に移動して、上蓋と下蓋が折れ曲がり、そこに僅かな隙間ができる。すると
この隙間からボックス内に空気が供給され、その結果、冷気によって減圧になっているボ
ックス内の空気圧を外気と同じにすることによって、減圧によって密着している蓋体の左
右の突出片とボックスの開口部のフレーム部とを容易に引き離すことができ、引き続き下
蓋、上蓋を上方に回転させて、両者を重ねた状態で保冷ボックスの上面に載置できる。
【００２７】
保冷ボックス本体の内部に保冷剤を収納するための保冷剤収納かごを備え、ここに保冷剤
を収納するので、電力等を使用せずに保冷ボックス内を冷凍の場合マイナス２０℃に、冷
蔵の場合５℃の低温を維持することができ、生鮮食料品の品質を損なうことなく配送する
ことができる。
【００２８】
本発明の配送用保冷ボックスを使用すれば、現在、生鮮食料品の保管や配送に日常的に使
用されているドライアイスの使用量を大幅に削減し、国が目指す炭酸ガスの削減政策にも
寄与するとともに、ドライアイスによる低温火傷の危険性を軽減することができる。さら
に、保冷剤は繰り返し使用できるので非常に経済的である。
【図面の簡単な説明】
【００２９】
【図１】本発明の配送用保冷ボックスを運搬用のかご付き台車に搭載した状態を示す斜視図
【図２】本発明の配送用保冷ボックスの斜視図
【図３】本発明の配送用保冷ボックス本体の正面図
【図４】図３のＡ−Ａ線による縦断面図
【図５】本発明の配送用保冷ボックスの中に収容する保冷剤を入れるための金網のかごとそのスタンドの斜面図
【図６】本発明の配送用保冷ボックスの蓋体の正面図
【図７】同上裏面図
【図８】図６のＢ−Ｂ線による縦断面図
【図９】本発明の配送用保冷ボックスの蓋体を開く手順を示す説明図
【発明を実施するための形態】
【００３０】
本発明の配送用保冷ボックスの最良の実施形態を次の実施例によって説明する。
【実施例】
【００３１】
図1は本発明の配送用保冷ボックスを運搬用かご付き台車に搭載した状態を示す斜視図で
ある。
図中７は、宅配用のかご付き台車で、これに本発明の保冷ボックス１を搭載する。かご付
き台車７は基板６１の上に金属棒を組み立てたかご６３が立設され、基板６１の下にはキ
ャスター６２が取り付けられている。
保冷ボックス本体２の前面に上蓋３１及び下蓋３２よりなる蓋体３が取り付けられている
。上蓋３１の上辺には接続片４が取り付けられその先端の裏側には平面ファスナー４１が
固着されて、保冷ボックスの天面２３に固着されている平面ファスナー（図示せず）と結
合されている。
保冷ボックス本体２にはその側面２２の上と横に固定ベルト２６が取り付けられている。
【００３２】
図２には保冷ボックス本体２の前面の蓋体３を上に開けた状態が示されている。
保冷ボックス本体２の大きさは高さ１４５０ｍｍ、幅１１００ｍｍ、奥行き１１００ｍｍ
で大型の標準サイズのものである。２１は開口部であって、その四周には幅広のフレーム
部２４が存在する。左右のフレーム部２４２，２４２の外側の端には左右の側面２２を延
長して設けられたフラップ状固定片２５が設けられている。図中２５１はフラップ状固定
片２５に取り付けられたマグネット板である。蓋体３は上方にまくり上げられ天面２３の
上に上蓋３１、下蓋３２が折り重ねられた状態で載置されている。保冷ボックス本体２の
中には保冷剤を収納する金網かご５１がスタンド５３の上に乗せられて取り付けられてい
る。
【００３３】
図中２４１は上のフレーム部、３３２は下蓋３２の左右の突出片、３８は突出片３３２に
取り付けられた金属板、３３３は下蓋３２の下の突出片、３７は突出片３３３に取り付け
られた取っ手、２４４は下のフレーム部２４３に取り付けられた金属板である。２６は固
定ベルトで、２本の紐２６１とその裏面に設けた平面ファスナー２６２で、保冷ボックス
本体２を台車のかご６３の金属棒に固定する。
【００３４】
図３は保冷ボックス本体２の正面図で、開口部２１の左右に設けられたフラップ状固定片
２５をフレーム部の方向に折り曲げた状態を示すものである。２４１は上のフレーム部、
２４３は下のフレーム部で、ここに下蓋３２の突出片に取り付けられたマグネットに吸着
される金属片２４４が取り付けられている。
【００３５】
図中５は保冷剤を収納するための金網かごで、かご５１はスタンド５３の上に載置されて
いる。かご５１の前面には開閉可能な金網製の前蓋５２が回転可能に取り付けられている
。前蓋５２の回転軸５２２はスタンド５３に固定された回転軸受５２１に軸着されている
。５２３は止め具で、ピン５２４が左右に移動して、前蓋５２を閉めた後、摺動させて、
かご５１の金網に係止して前蓋５２を固定する。
【００３６】
図４は図３のＡ−Ａ線による縦断面図であって、２７は発泡スチロール等の断熱材で、ア
ルミニウムを蒸着したＰＥＴフイルム等の外皮部材２８でくるまれている。図中２５はフ
ラップ状固定片で、開いた状態を示している。フラップ状固定片２５もＰＥＴフイルム等
で袋状に構成されその内部にマグネット板２５１例えばパーマロイマグネットゴムシート
板等が挿入されている。
図中５は金網かごで、かご５１がスタンド５３の上に載置されている。金網かご５の前面
の開口部には回転可能な前蓋５２が設けられている。５２１は回転軸受、５２２は回転軸
である。
【００３７】
図５は金網かご５の斜面図で、かご５１はスタンド５３の上の載置されている。５２は回
転可能な前蓋で、その詳細は図３及び図４に示してある。
【００３８】
図６は蓋体３の正面図を示すもので、蓋体３は上蓋３１と下蓋３２に分れている。蓋体３
の四周には突出片３３が突出して設けられている。上側の突出片３３１には接続片４が接
続され、その上部裏側に設けられた平面ファスナー４１は保冷ボックス本体２の天面に取
り付けられた平面ファスナーと結合して、蓋体３を保冷ボックス本体２に接続する。突出
片３３１と接続片４とを結合するために平面ファスナー４２が取り付けられている。
上蓋３１及び下蓋３２は発泡スチロール等の断熱材３４をＰＥＴフイルム等の外皮でくる
んだ断熱構造体で構成されている(詳細は図８で述べる)。
【００３９】
突出片３３もＰＥＴフイルム等の外皮で袋状に構成されているので、上蓋３１、下蓋３２
の左右の突出片３３２にはその内部に金属板３８が挿入されている。下蓋３２の下の突出
片３３３にはマグネット３９が挿入されている。
図中３６は上蓋３１に設けた取っ手、３７は下蓋３２の突出片３３３に設けた取っ手で２
か所設けられている。
【００４０】
図７は蓋体３の裏面図を示すもので、上蓋３１、下蓋３２の境界線は第２屈曲部４４とし
て機能するために断熱材の外皮部材のＰＥＴフイルム等で一連に接続されている。その状
態は図８に示されている。すなわち、発泡スチロール等の断熱材３４はＰＥＴフイルム等
の外皮部材３５でくるまれている。蓋体３の表面の外皮３５１は上蓋３１と下蓋３２の切
れ目でＶ字状に折り返され、裏面の外皮３５２と縫い合わされて縫い目３５５が形成され
ている。その結果、上蓋３１と下蓋３２とはこの縫い目３５５に沿って折れ曲がることが
でき、第２屈曲部４４を構成することになる。
【００４１】
下蓋３２の下側突出片３３３も外皮部材３５を突出させて折り返して縫い目３５６で袋状
に構成し、その中にマグネット板３９を収納する。蓋体３の左右の突出片３３２も同様に
袋状に構成してその中に金属板３８を収納する。
上蓋３１の上側の突出片３３１は表裏の外皮の突出部を縫い目３５４で縫い合わせて構成
する。接続片４は平面ファスナー４２で上蓋３１の突出片３３１に接続し、この接続片４
が第１屈曲部４３となる。４１は接続片４の上端に取り付けられた平面ファスナーで保冷
ボックス本体の天面に設けた平面ファスナーに結合して、上蓋４１の上部の突出片３３１
を保冷ボックスの天面に接続する。
図中３６は上蓋３１に取り付けた取っ手、３７は下蓋３２の突出片３３３に取り付けられ
た取っ手である。
【００４２】
図９は保冷ボックス本体２の蓋体３の開け方を図解して示したものである。
先ず、（a）保冷ボックス本体２の左右のフラップ状固定片２５（図３）を立ててフラッ
プ状固定片２５のマグネット２５１と蓋体３の左右の突出片３３２の金属板３８（図６）
との吸着を解除する。続いて下蓋３２の下端の突出片３３３の外側に設けた２つの取っ手
３７を両手で持って手前に引いて突出片３３３のマグネット３９（図６）と保冷ボックス
２の開口部下端の金属片２４４（図２）との吸着を解除する。（ｂ）次に、上蓋３１の取
っ手３６を片手で手前に軽く引くと、上蓋３１と下蓋３２は逆くの字状に折れ曲がり、そ
の屈曲部から外部の空気が保冷ボックス本体２内に供給され、冷気による減圧で密着して
いるフレーム部２４と蓋部３の突出片３３との密着を解除する。
（ｃ）下蓋３２の取っ手３７を持って下蓋３２を上方に持ち上げる。
（ｄ）そのまま、下蓋３２を上蓋３１の上に被せると、下蓋３２は上蓋３１の上に乗った
状態で両者は保冷ボックス２の天面２３上に載置される。
上記の操作中に蓋体３は殆ど前方に突出することなく保冷ボックス上に載置できるので、
道路上を通行している人や車両の邪魔にならず安全に荷物の出し入れを路上で行うことが
できる。
【符号の説明】
【００４３】
１  配送用保冷ボックス
２  保冷ボックス本体
２１  開口部
２３  天面
２３１  平面ファスナー
２４  フレーム部
２４４  金属板
２５  フラップ状固定片
２５１  マグネット板
２６  固定ベルト
２７  断熱材
２８  外皮部材
３  蓋体
３１  上蓋
３２  下蓋    
３３  突出片  
３４  断熱材
３５  外皮部材
３８  金属板
３９  マグネット板
４  接続片
４１  平面ファスナー
４２  平面ファスナー
４３  第１屈曲部
４４  第２屈曲部
５  金網かご
【図１】
2019089573.tif 000003
【図２】
2019089573.tif 000004
【図３】
2019089573.tif 000005
【図４】
2019089573.tif 000006
【図５】
2019089573.tif 000007
【図６】
2019089573.tif 000008
【図７】
2019089573.tif 000009
【図８】
2019089573.tif 000010
【図９】
2019089573.tif 000011